(57)【要約】【課題】簡単な操作で浴室内の環境条件や再生するソフトを設定することが可能な浴室システムを提供する。【解決手段】浴室システムは、浴室内に設置されたディスプレイ装置１１やスピーカ１２を用いて映像ソフト又は音声ソフトの少なくとも何れか一方を再生する映像・音声再生部１９と、映像・音声再生部１９が再生するソフトの内容を設定する再生ソフト設定部１８と、給湯器１３から供給される湯水の温度や照明器具１４の照度といった浴室内の環境条件を設定する浴室環境設定部２１とで構成される入浴環境設定部２２を備えており、再生ソフト設定部１８および浴室環境設定部２１は、ソフトの内容と浴室内の環境条件の内の何れか一方が設定されると、その設定内容に連携して他方を設定する。【選択図】図１
2006288895.tif 000002
【特許請求の範囲】
【請求項１】
浴室内に設置されて映像ソフト又は音声ソフトの少なくとも何れか一方を再生する映像・音声再生部と、複数のソフトの中から映像・音声再生部が再生するソフトを設定する再生ソフト設定部と、浴室内の環境条件を設定する浴室環境設定部と、浴室環境設定部で設定された環境条件に基づいて浴室内の環境を制御する浴室環境制御部とを備え、再生ソフト設定部および浴室環境設定部は、再生するソフトと浴室内の環境条件の内の何れか一方が設定されると、その設定内容に連携して他方を設定することを特徴とする浴室システム。
【請求項２】
前記浴室環境設定部で設定された浴室内の環境条件をもとに標準的な入浴時間を示す標準入浴時間を設定する入浴時間設定部を設け、前記再生ソフト設定部が、標準入浴時間の長さに合わせたソフトを設定することを特徴とする請求項１記載の浴室システム。
【請求項３】
前記浴室環境設定部が、再生するソフトの内容又は再生時間の内少なくとも何れか一方の情報を含む属性情報に基づいて環境条件を設定することを特徴とする請求項１記載の浴室システム。
【請求項４】
浴室内の人物の入力操作に応じて入浴時間を設定する入浴時間設定部を設け、前記再生ソフト設定部が、入浴時間設定部により設定された入浴時間の長さに合わせたソフトを設定するとともに、前記浴室環境設定部が、再生するソフトの内容又は再生時間の内少なくとも何れか一方の情報を含む属性情報に基づいて環境条件を設定することを特徴とする請求項１記載の浴室システム。
【請求項５】
浴室内の人物を識別する個人認識部と、個々の人物毎に過去の入浴時に再生したソフトとその時の浴室内の環境条件とを関連づけた履歴情報を記憶する記憶部とを設け、前記再生ソフト設定部および前記浴室環境設定部は、個人認識部で認識された人物の履歴情報を記憶部から抽出し、抽出した履歴情報をもとに映像・音声再生部で再生するソフトと浴室内の環境条件を設定することを特徴とする請求項１乃至４の何れか１つに記載の浴室システム。
【発明の詳細な説明】
【技術分野】
【０００１】
本発明は、浴室内で映像ソフトや音声ソフトを視聴しながら入浴することができる浴室システムに関するものである。
【背景技術】
【０００２】
この種の浴室システムとしては、湯温や気泡の有無や渦流の有無などの浴室内の環境条件を制御する制御部と、浴室内に音声を出力するオーディオ装置を制御するオーディオ制御部と、浴室内の環境条件やオーディオ装置で再生する音声ソフトの組み合わせが予め登録された記憶部とを備え、環境条件および音声ソフトの組み合わせを記憶部から読み出して、浴室内の環境条件と再生する音声ソフトとを設定するものが従来より提供されている（例えば特許文献１参照）。
【特許文献１】特開平８−２２８９４７号公報
【発明の開示】
【発明が解決しようとする課題】
【０００３】
上記構成の浴室ユニットでは、浴室内の環境条件と再生する音声ソフトの組み合わせが予め決められているので、入浴中の人物がその日の気分や体調に合わせて、浴室内で鑑賞する映像ソフトや音声ソフトの内容を変更した場合、変更後のソフトの内容に照明の照度や光色などの環境条件が合っていなければ、ソフトの内容に合わせて環境条件も入浴中の人物が手入力で変更しなければならず、使い勝手が悪いという問題があった。
【０００４】
本発明は上記問題点に鑑みて為されたものであり、その目的とするところは、簡単な操作で浴室内の環境条件や再生するソフトを設定することが可能な浴室システムを提供することにある。
【課題を解決するための手段】
【０００５】
上記目的を達成するために、請求項１の発明は、浴室内に設置されて映像ソフト又は音声ソフトの少なくとも何れか一方を再生する映像・音声再生部と、複数のソフトの中から映像・音声再生部が再生するソフトを設定する再生ソフト設定部と、浴室内の環境条件を設定する浴室環境設定部と、浴室環境設定部で設定された環境条件に基づいて浴室内の環境を制御する浴室環境制御部とを備え、再生ソフト設定部および浴室環境設定部は、再生するソフトと浴室内の環境条件の内の何れか一方が設定されると、その設定内容に連携して他方を設定することを特徴とする。
【０００６】
この発明によれば、再生ソフト設定部および浴室環境設定部では、再生するソフトと浴室内の環境条件の内の何れか一方が設定されると、その設定内容に連携して他方を設定しており、ユーザが再生するソフトまたは浴室内の環境条件の内の一方を手動で設定すると、その設定内容に応じて他方が自動的に設定されるから、ユーザの設定の手間を少なくして使い勝手を良くできる。
【０００７】
請求項２の発明は、請求項１の発明において、浴室環境設定部で設定された浴室内の環境条件をもとに標準的な入浴時間を示す標準入浴時間を設定する入浴時間設定部を設け、再生ソフト設定部が、標準入浴時間の長さに合わせたソフトを設定することを特徴とする。
【０００８】
ここで入浴時間は浴室環境によって決まることが多々あり、例えば「癒し」を求める入浴環境の場合の入浴時間は３０分程度と長めであるが、生体活性化を求める入浴環境の場合の入浴時間は１５分程度と短めである。請求項２の発明では、浴室環境と入浴時間との相関関係を利用し、浴室内の環境条件を設定すると、入浴時間設定部が浴室内の環境条件をもとに標準入浴時間を設定し、再生ソフト設定部が標準入浴時間の長さに合わせたソフトを設定するので、ユーザの入浴行動に合わせたソフトを視聴することができる。
【０００９】
請求項３の発明は、請求項１の発明において、浴室環境設定部が、再生するソフトの内容又は再生時間の内少なくとも何れか一方の情報を含む属性情報に基づいて環境条件を設定することを特徴とする。
【００１０】
ところで、ユーザが入浴する際に、入浴中に視聴したいソフトを決めてから入浴する場合も多々あり、例えば以前入浴中に視聴した映画や、毎日の視聴を日課にしているニュースや天気予報などを視聴すると決めてから入浴する場合があるが、請求項３の発明によれば、浴室環境設定部が、再生ソフト設定部で設定されたソフトの属性情報に基づいて浴室内の環境条件を設定しているので、ユーザが選択したソフトの視聴に適した浴室環境を実現することができる。
【００１１】
請求項４の発明は、請求項１の発明において、浴室内の人物の入力操作に応じて入浴時間を設定する入浴時間設定部を設け、再生ソフト設定部が、入浴時間設定部により設定された入浴時間の長さに合わせたソフトを設定するとともに、浴室環境設定部が、再生するソフトの内容又は再生時間の内少なくとも何れか一方の情報を含む属性情報に基づいて浴室内の環境条件を設定することを特徴とする。
【００１２】
また入浴時間が限られている中でソフトを視聴したい場合もあり、入浴時間設定部を用いて希望の入浴時間を設定すると、設定された入浴時間に合わせて再生ソフト設定部が再生するソフトを設定するとともに、浴室環境設定部が再生するソフトの属性情報に基づいて浴室内の環境条件を設定しているので、入浴時間が制限されている場合でもその入浴時間に合わせたソフトや浴室環境を提供することができる。
【００１３】
請求項５の発明は、請求項１乃至４の何れか１つの発明において、浴室内の人物を識別する個人認識部と、個々の人物毎に過去の入浴時に再生したソフトとその時の浴室内の環境条件とを関連づけた履歴情報を記憶する記憶部とを設け、再生ソフト設定部および浴室環境設定部は、個人認識部で認識された人物の履歴情報を記憶部から抽出し、抽出した履歴情報をもとに映像・音声再生部で再生するソフトと浴室内の環境条件を設定することを特徴とする。
【００１４】
この発明によれば、個々の人物毎に過去の入浴時に再生したソフトと浴室内の環境条件とを関連づけて履歴情報を記憶する記憶部が設けられ、再生ソフト設定部および浴室環境設定部では、個人認識部で認識された人物の履歴情報を記憶部から抽出し、抽出した履歴情報をもとに再生するソフトや浴室内の環境条件を設定しているので、複数人で浴室を共用する場合でも個々の人物の入浴行動に適したソフトや浴室環境を提供することができる。
【発明の効果】
【００１５】
本発明によれば、再生ソフト設定部および浴室環境設定部では、再生するソフトと浴室内の環境条件の内の何れか一方が設定されると、その設定内容に連携して他方を設定しており、ユーザが再生するソフトまたは浴室内の環境条件の内の一方を手動で設定すると、その設定内容に応じて他方が自動的に設定されるから、ユーザの設定の手間を少なくして使い勝手が向上するという効果がある。
【発明を実施するための最良の形態】
【００１６】
以下に本発明の実施の形態を図面に基づいて説明する。図１に本実施形態の浴室システムのブロック図を示し、図２にこの浴室システムを適用した浴室ユニットの概略構成図を示す。
【００１７】
本実施形態の浴室システムは、浴室内に設置されたディスプレイ装置１１やスピーカ１２を用いて映像ソフト又は音声ソフトの少なくとも何れか一方を再生するとともに、給湯器１３や照明器具１４などの環境制御機器を制御して浴室内の環境条件を制御するものであり、浴室内の環境条件と入浴中の人物に提供する映像又は音声ソフトを設定する浴室環境制御装置１０と、浴室内にいる人物を認識する個人特定装置３０とを主要な構成として備える。
【００１８】
個人特定装置３０は、浴室１の隣にある脱衣所２に設けられ、入浴しようとする人物が浴室内に入る前にこの人物を音声認識により特定する。すなわち個人特定装置３０は、脱衣場に設置されて人物の発する音声を電気信号に変換するマイク３１と、マイク３１によって電気信号に変換された音声信号を増幅する音声入力部３２と、浴室１を利用する人物の音声データを記憶したデータベース３３と、音声入力部３２を介して入力された音声信号の特徴をデータベース３３に記憶された音声データとパターンマッチングなどの方法で照合することによって人物の認識を行う個人認識部３４と、音声入力部３２を介して入力された音声の認識処理を行うことで人物が発した音声の内容を取得する音声認識部３５とで構成される。なお後述の入浴環境設定部２２からデータベース３３へ、個々の人物が以前入浴した際に選択したり視聴した映像ソフトや音声ソフトの履歴情報と、湯温、照明の照度などの浴室環境を示す環境設定情報の履歴情報とが出力され、これらの履歴情報は互いに関連付けられて個々の人物毎にデータベース３３（記憶部）に登録されており、データベース３３から適宜読み出しが可能になっている。
【００１９】
一方、浴室環境制御装置１０は浴室１に設置され、後述の操作入力部１５による設定操作に基づいて再生ソフトの設定や環境条件の設定を行うものであり、モード切替入力部１６と、モード設定部１７と、入浴環境設定部２２とを主要な構成として備える。
【００２０】
操作入力部１５は例えばタッチパネル付の液晶ディスプレイからなり、浴室１の内部で湯槽３の長手方向に沿った壁に設けられ、画面上に表示した選択ボタンなどを入浴中の人物が指で押すことによって、再生ソフトや環境条件の設定が行われ、設定内容を示す操作信号がモード切替入力部１６に出力される。
【００２１】
モード切替入力部１６は操作入力部１５からの操作信号入力を監視し、操作入力部１５から操作信号が入力されると、この操作信号をモード設定部１７に出力する。
【００２２】
モード設定部１７には、個人認識部３４および音声認識部３５の認識結果が入力されるとともに、モード設定部１７から操作信号が入力されており、これらの情報をもとに再生するソフトや浴室内の環境条件を含めた入浴環境の制御モードを決定し、入浴環境設定部２２に出力する。
【００２３】
入浴環境設定部２２は、入浴時に再生するソフトを設定する再生ソフト設定部１８と、再生ソフト設定部１８で設定されたソフトを再生する映像・音声再生部１９と、再生するソフトの属性情報又は浴室環境をもとに標準入浴時間を設定する入浴時間設定部２０と、浴室内の環境条件を設定する浴室環境設定部２１とを主要な構成として備え、入浴時に再生するソフトと浴室内の環境とを含めた入浴環境を設定するものである。ここで、ソフトの属性情報とはソフトの内容等を示す情報であり、ソフトの内容又は再生時間の内少なくとも何れか一方の情報を含んでいる。
【００２４】
再生ソフト設定部１８は、モード設定部１７から入力された制御モードに基づいて、再生する映像ソフトや音声ソフトを設定して、設定内容を映像・音声再生部１９に出力する。ディスプレイ装置１１およびスピーカ１２は湯槽３内に浸かった人物の正面の壁に設置されており、映像・音声再生部１９が再生した映像ソフトや音声ソフトを出力することで、湯槽３内の人物が映像ソフトや音声ソフトを視聴できるようになっている。
【００２５】
浴室環境設定部２１は浴室１内の浴室環境（例えば給湯器１３の湯温や照明器具１４の照度など）を設定するものであり、浴室環境条件の設定内容を給湯コントローラ２３や照明コントローラ２４に出力し、両コントローラ２３，２４で給湯器１３および照明器具１４の動作を制御することにより浴室内の環境を所望の環境に設定する。
【００２６】
入浴時間設定部２０は、浴室環境設定部２１又は再生ソフト設定部１８の内の何れか一方から、環境条件又は再生するソフトの設定内容が入力されると、入力された設定内容をもとに標準的な入浴時間を設定し、設定した入浴時間を浴室環境設定部２１又は再生ソフト設定部１８の内の他方へ出力する。例えば入浴時間設定部２０では、浴室環境設定部２１から環境条件として湯温の設定内容が入力された場合、湯槽３に入れた湯水の温度がぬるめであれば長めに入浴すると判断し、湯水の温度が高ければ入浴時間が短いものと判断して、判断結果を再生ソフト設定部１８に出力する。また入浴時間設定部２０では、再生ソフト設定部１８から再生するソフトの設定内容が入力された場合、このソフトの再生時間をもとに入浴時間を判断して、浴室環境設定部２１に出力する。
【００２７】
本実施形態の浴室システムは上述のような構成を有しており、この浴室システムの動作を図３のフロー図にしたがって説明する。個人特定装置３０は、脱衣所を検知エリアとし、検知エリア内の人体から放射される熱線を検知することによって人の存否を検出する焦電型の赤外線検出素子からなる人感センサ（図示せず）を備えており、入浴しようとする人物が脱衣所２に入ると、個人特定装置３０は、上記の人感センサの検知信号をもとにユーザが脱衣所２に入ったことを検知し、この人物を特定する処理を行うか否かを判断する（ステップＳ１）。個人特定装置３０は人物特定を行うか否かを設定する設定スイッチ（図示せず）を備え、通常は人物特定を行うように設定されており、人物特定を行う場合には音声認識による人物特定処理を実行する（ステップＳ２）。すなわち、個人認識部３４では、人物の発した音声をマイク３１と音声入力部３２とを介して取得し、この音声の特徴をデータベース３３に登録された複数の人物の音声データと照合することによって、脱衣所２にいる人物を特定する。なお人物特定の方法を音声認識に限定する趣旨のものではなく、例えば複数の人物の体重をデータベース３３に予め登録しておき、例えば脱衣所２の床に埋め込んだデジタル体重計で体重を測定し、その測定データをデータベース３３に登録した体重値と比較することによって人物を特定しても良いし、入浴しようとする人物が図示しない入力ボタンを用いて自分の名前などを直接手入力することで人物を特定しても良い。
【００２８】
音声認識による人物の特定処理が終了すると、人物特定に成功したか否かを判断し（ステップＳ３）、人物特定に成功していれば、個人認識部３４は、特定された人物が過去の入浴時に選択したり視聴した映像ソフト又は音声ソフトとその時の浴室内の環境条件とを関連づけた履歴情報をデータベース３３から読み出して、モード設定部１７に出力する（ステップＳ４）。なお人物特定を行わない場合や人物特定に失敗した場合は、個人認識部３４が、データベース３３に予め登録されている再生ソフトや浴室環境のデフォルト設定を読み出して、モード設定部１７に出力するようにしても良い。
【００２９】
ここで、以下の表１〜表４はデータベース３３に登録された上記履歴情報のデータテーブルＤＴ１〜ＤＴ４であり、個人認識部３４は、これらのデータテーブルＤＴ１〜ＤＴ４をもとに個人認識部３４で特定された人物の履歴情報を読み出している。
【００３０】
【表１】
2006288895.tif 000003
【００３１】
【表２】
2006288895.tif 000004
【００３２】
【表３】
2006288895.tif 000005
【００３３】
【表４】
2006288895.tif 000006
【００３４】
表１のデータテーブルＤＴ１は、浴室１を使用する人物の個人情報（ユーザＩＤ、ユーザ名、性別、年齢、体重など）を登録した人物情報テーブルである。また表２のデータテーブルＤＴ２は、各人物が以前に入浴した際に視聴したソフトの内容や浴室環境の環境条件を入浴日の日時の情報とともに登録した人物別入浴履歴情報テーブルであり、入浴日、入浴開始時刻、入浴終了時刻、入浴時間、入浴当日に再生したソフトを個別に管理するためのソフト管理ＩＤ、及び入浴当日の浴室環境に割り当てられた浴室環境ＩＤの各データが登録されている。また表３のデータテーブルＤＴ３は、入浴当日に再生したソフトを管理するためのソフト管理テーブルであり、上述のソフト管理ＩＤと、入浴時に再生したソフトを識別するためのソフトＩＤと、ソフト名称と、開始時刻と、終了時刻とが互いに関連づけて登録されている。さらに表４のデータテーブルＤＴ４は、入浴当日の浴室環境を管理するための浴室環境管理テーブルであり、浴室環境ＩＤと、給湯器１３による湯温の制御パターンを示す湯温パターン番号と、照明器具１４による湯温の制御パターンを示す湯温パターン番号と、浴室１に設置した空気調整器（図示せず）による浴室温度の制御パターンを示す浴室温パターン番号とが互いに関連付けて登録されている。
【００３５】
また図４は各データテーブルＤＴ１〜ＤＴ４間の相関関係を示しており、個人認識部３４では人物の特定に成功すると、データテーブルＤＴ１からこの人物のユーザＩＤを抽出し、このユーザＩＤをもとにデータテーブルＤＴ２から過去の入浴時の履歴情報を読み込んだ後、この履歴情報に含まれるソフト管理ＩＤと浴室管理ＩＤをもとにデータテーブルＤＴ３，ＤＴ４を検索し、入浴当日に視聴したソフトのソフト名や開始時間トラックおよび終了時間トラックなどの再生ソフトに関する情報と、入浴当日の浴室環境を示す情報とを抽出するようになっている。
【００３６】
次にモード設定部１７は、個人認識部３４から入力されたソフトおよび環境条件の履歴情報と、操作入力部１５を用いてユーザが入力した設定情報とに基づいて制御モードを決定し、この制御モードをもとに入浴環境設定部２２が再生するソフトや浴室内の環境条件を設定したり、選択する処理を開始する（ステップＳ５）。なおユーザが設定できる項目には、浴室環境（湯温、湯量、浴室温度など）の設定、再生する映像ソフト或いは音声ソフトの設定、好みの入浴時間の設定とがあり、図３のフロー図に示すように３つの項目の内の１つを決めれば、残りの２つの項目はデータベース３３に登録された履歴情報をもとにして自動的に決定されることになる。なお、本実施形態では上述の３つの項目の内の１つを手動で入力すると、残りの２つの項目は過去の履歴情報を利用して自動的に設定することで、入力の手間を省いているが、操作入力部１５を用いて上述の３つの項目を全て手入力しても良いことは言うまでもない（ステップＳ１７）。
【００３７】
ユーザが操作入力部１５を用いて浴室環境を最初に設定すると、操作入力部１５の操作入力に基づいてモード設定部１７が制御モードを設定し、この制御モードに応じて入浴環境設定部２２の浴室環境設定部２１により浴室環境が設定される（ステップＳ６）。浴室環境が設定されると（つまり浴室環境ＩＤが選択されると）、入浴時間設定部２０は、選択された浴室環境ＩＤをもとに、表２のデータテーブルＤＴ２から同じ人物で（ユーザＩＤが同じで）、且つ、浴室環境ＩＤが同じレコードを検索し、ユーザＩＤ及び浴室環境ＩＤが同じレコードから入浴時間を抽出して、今回入浴時の標準入浴時間とする（ステップＳ７）。そして、標準入浴時間が設定されると、再生ソフト設定部１８が標準入力時間の長さに合わせて再生するソフトを設定する（ステップＳ８）。ここで、ユーザＩＤと浴室環境ＩＤが同じレコードが複数存在する場合は、その中から最新のレコードを選択し、最新のレコードから入浴時間とソフト管理ＩＤを抽出するものとする。また抽出された入浴時間やソフト管理ＩＤの情報は操作入力部１５の画面に表示されており、操作入力部１５により入浴時間やソフト管理ＩＤの内容を修正することが可能である。
【００３８】
またユーザが操作入力部１５を用いて再生するソフトを最初に設定すると、操作入力部１５の操作入力に基づいてモード設定部１７が制御モードを設定し、この制御モードに応じて入浴環境設定部２２の再生ソフト設定部１８により再生するソフトが設定される（ステップＳ９）。再生ソフトが設定されると（つまりソフト管理ＩＤが選択されると）、浴室環境設定部２１は、設定された再生ソフトの属性情報に合わせて浴室内の環境条件を設定する（ステップＳ１０）。例えば再生ソフトとして映画が選択された場合、浴室環境設定部２１はソフトの内容を示す属性情報に基づいて照明器具１４の照度を暗めにする。また、再生ソフトとしてディスプレイ装置１１に表示する文字情報が選択されて読書を行う場合には、ディスプレイの文字を読みやすくするため、浴室環境設定部２１はソフトの内容を示す属性情報をもとに照明器具１４の照度を明るくするというように環境条件を設定する。そして環境条件の設定が終了すると、入浴時間設定部２０は、データテーブルＤＴ２よりソフト管理ＩＤが同じレコードを検索し、時間的に最も新しいレコードの入浴時間をもとに今回入浴時の入浴時間を設定する（ステップＳ１１）。
【００３９】
またユーザが操作入力部１５を用いて入浴時間を最初に設定すると（ステップＳ１２）、操作入力部１５の操作入力に基づいてモード設定部１７が制御モードを設定し、この制御モードに応じて入浴時間設定部２０が入浴時間を設定する。入浴時間が設定されると、再生ソフト設定部１８は、設定された入浴時間をもとに、表２のデータテーブルＤＴ２から入浴時間が同一のレコードを検索し、入浴時間が同一のレコードからソフト管理ＩＤを抽出して、今回の再生ソフトを決定する（ステップＳ１３）。そして再生ソフトが決定すると、浴室環境設定部２１は再生ソフトの属性情報に基づいて浴室内の環境条件を設定する（ステップＳ１４）。
【００４０】
なお再生ソフトを設定する際は、入浴する人物が前回入浴時に視聴したソフトを引き続いて視聴できるように、データテーブルＤＴ２からこの人物の最新の入浴履歴を検索してソフト管理ＩＤを取得し、このソフト管理ＩＤをもとにデータテーブルＤＴ３から終了時間トラックのデータを抽出することで、前回再生時の終了時刻を取得でき、その続きから再生することが可能になる。
【００４１】
上述のようにして再生ソフトと浴室環境が決定されると、映像・音声再生部１９が再生ソフト設定部１８で設定された映像ソフト又は音声ソフトの少なくとも何れか一方を再生して、ディスプレイ装置１１およびスピーカ１２から映像と音声を出力させ（ステップＳ１５）、その後浴室から人物が退室すると、個人特定装置３０の人感センサが脱衣所２に出てきた人物を検知し、この検知信号から入浴終了を検知し、データベース３３に入浴環境設定部２２から取得した再生ソフトの情報（ソフト管理ＩＤなど）と浴室環境とを記憶させ、人物別入浴履歴情報テーブルＤＴ２に本日の入浴時のデータを追加する（ステップＳ１６）。
【００４２】
以上説明したように本実施形態では、再生ソフト設定部１８および浴室環境設定部２１では、再生するソフトと浴室内の環境条件の内の何れか一方が設定されると、その設定内容に連携して他方を設定しているので、ユーザが浴室環境または再生ソフトの内の何れか一方を手動で設定すると、過去の履歴情報などを利用して浴室環境または再生ソフトの内の他方が自動的に決定されるから、ユーザの設定の手間を少なくして使い勝手を良くできる。
【００４３】
また個々の人物の入浴時間は浴室環境によって決定されることが多々あり、例えば「癒し」を求める入浴環境の場合の入浴時間は３０分程度と長めであるが、生体活性化を求める入浴環境の場合の入浴時間は１５分程度と短めである。このように浴室環境と入浴時間との間には相関があるので、入浴環境を決定すれば、同一の入浴環境で過去に入浴した時の入浴時間から今回の入浴時間を予測することができ、予測時間の長さに合わせて再生ソフトを自動的に設定することで、入浴行動に合わせた再生ソフトを自動的に選択して再生することができる。
【００４４】
またユーザが入浴する際に、入浴中に視聴したいソフトを決めてから入浴する場合も多々あり、例えば以前入浴中に視聴した映画や、毎日の視聴を日課にしているニュースや天気予報などを視聴すると決めて入浴する場合などがある。例えば浴室１内に設置した操作入力部１５の画面上に、事前に登録しておいたソフトの一覧を視聴リストとして提示したり、過去の視聴履歴から視聴するソフトの一覧を提示し、その中から視聴したいソフトをユーザが選択するとともに、選択したソフトの内容に基づいて入浴環境や標準的な入浴時間を設定することで、選択したソフトの視聴に最適な浴室環境を実現することができる。
【００４５】
また入浴時間が限られている中でソフトを視聴したい場合もあり、操作入力部１５を用いて希望の入浴時間を設定すると、設定された入浴時間に合わせて再生ソフトの内容や浴室環境が設定されるので、限られた時間内で視聴を完了できるソフトを提供することが可能になる。なお過去の入浴履歴を検索し、同一の入浴時間で過去に入浴した時に視聴したソフトを検索して、そのソフトを再生するようにしても良い。
【００４６】
またデータベース３３に、個々の人物毎に過去の入浴時に再生したソフトと、その時の浴室内の環境条件とを関連づけた履歴情報を記憶させておき、個人認識部３４で認識された人物の履歴情報をデータベース３３から抽出し、抽出した履歴情報をもとに再生ソフト設定部１８が再生するソフトを設定するとともに、浴室環境設定部２１が浴室内の環境条件を設定しても良く、複数人で浴室を共用する場合でも個々の人物の入浴行動に適した視聴ソフトや浴室環境を提供することができる。またデータベース３３に記憶された履歴情報から、再生ソフト設定部１８で今回設定された再生ソフトが過去に選択されたときの浴室環境を抽出し、抽出された浴室環境をもとに浴室環境設定部２１が環境条件を設定しても良く、環境条件を設定する手間を省くことができる。
【００４７】
なお本実施形態では浴室環境設定部２１が浴室環境として湯温および照明の設定を行っているが、例えば湯槽に設けた複数個の噴出口からジェット噴流を発生させるジェットバス装置を備えている場合にはジェット噴流の有無や強度を浴室環境として設定しても良いし、異なる種類の入浴剤が投入された複数の入浴剤タンク（図示せず）を有し何れかの入浴剤を選択して給湯器から供給される湯水に所定量を混入させる入浴剤投入装置（図示せず）を備えている場合には湯水に混入する入浴剤の種類や量などを浴室環境として設定しても良い。
【００４８】
なお、本発明の精神と範囲に反することなしに、広範に異なる実施形態を構成することができることは明白なので、この発明は、特定の実施形態に制約されるものではない。
【図面の簡単な説明】
【００４９】
【図１】本実施形態の浴室システムのブロック図である。
【図２】同上を用いた浴室ユニットの説明図である。
【図３】同上の動作を説明するフロー図である。
【図４】同上に用いるデータテーブルの関係を説明する説明図である。
【符号の説明】
【００５０】
１１  ディスプレイ装置
１２  スピーカ
１３  給湯器
１４  照明器具
１８  再生ソフト設定部
１９  映像・音声再生部
２１  浴室環境設定部
２２  入浴環境設定部
【図１】
2006288895.tif 000007
【図２】
2006288895.tif 000008
【図３】
2006288895.tif 000009
【図４】
2006288895.tif 000010